(57)【要約】 【課題】  正時以外のタイミングでの時刻修正を小さな電力消費で迅速に行うことができる電波修正時計を提供すること。【解決手段】  竜頭６１が引き出されることにより、スイッチＳ１が閉じられ、電波修正時計１のモードが時刻表示モードから時刻修正モードへと切り替わると、時刻修正モード検出手段４７が、時刻カウンタ修正手段４９を介して、計時制御手段４１に修正信号を出力する。計時制御手段４１は、そのカウンタの数値を修正信号に基づいて修正して秒モータＭ０および時分モータＭ１を駆動し、秒針５４を０秒位置へ、分針５３を直後の正分位置に移動させる。従来のように、分針５３を帰零させる無駄な動作を行っていないので、正時以外のタイミングでの時刻修正を小さな電力消費で迅速に行うことができる。【選択図】 図１
2006145471.tif 000002
【特許請求の範囲】
【請求項１】
秒針および分針を含んで時刻を表示する指針と、前記秒針を駆動する秒針駆動手段と、前記分針を駆動する分針駆動手段と、時刻表示モードと時刻修正モードとを切り替えるモード切替え手段とを備え、前記時刻表示モードにおいては前記分針が前記分針駆動手段によって各正分位置間を複数ステップで運針される電子時計であって、
前記モード切替え手段によって、前記電子時計のモードが前記時刻表示モードから前記時刻修正モードに切り替わると、前記秒針駆動手段によって、前記秒針を零秒位置に自動的に移動させ、前記分針駆動手段によって、前記分針を、その現在位置を基準として所定の正分位置に自動的に移動させる第一時刻修正手段を備える、
ことを特徴とする電子時計。
【請求項２】
請求項１に記載の電子時計において、
前記第一時刻修正手段は、前記分針を、その現在位置から見て直後または直前の正分位置に自動的に移動させる、
ことを特徴とする電子時計。
【請求項３】
請求項１または請求項２に記載の電子時計において、
前記第一時刻修正手段によって、前記秒針が零秒位置に自動的に移動され、前記分針が正分位置に自動的に移動された後、前記時刻修正モードが継続される間に所定の操作が行われると、前記分針駆動手段を用いて、前記分針を、現在の正分位置の一分後または一分前の正分位置に一分単位で順次移動させる第二時刻修正手段を備える、
ことを特徴とする電子時計。
【請求項４】
請求項１から請求項３のいずれかに記載の電子時計において、
カレンダ情報を表示するカレンダ情報表示手段を備え、
前記時刻修正モードにおいて前記秒針または前記分針が移動される際に、前記指針によって表示される時刻が午前０時０分０秒になったとき、前記カレンダ情報表示手段は、そのカレンダ情報を一日分変更する、
ことを特徴とする電子時計。
【請求項５】
請求項１から請求項４のいずれかに記載の電子時計において、
前記時刻表示モードにおける前記秒針および前記分針の運針と同期して数値が変更される針位置記憶手段が設けられ、
前記時刻修正モードでは、前記針位置記憶手段の数値に基づいて前記秒針および前記分針の移動すべき量が算出されて前記秒針および前記分針が移動されるとともに、移動後の前記秒針および前記分針の位置に合わせて前記針位置記憶手段の数値が修正される、
ことを特徴とする電子時計。
【請求項６】
秒針および分針を含んで時刻を表示する指針と、前記秒針を駆動する秒針駆動手段と、前記分針を駆動する分針駆動手段と、時刻表示モードと時刻修正モードとを切り替えるモード切替え手段とを備え、前記時刻表示モードにおいては前記分針が前記分針駆動手段によって各正分位置間を複数ステップで運針される電子時計における時刻修正方法であって、
前記モード切替え手段によって、前記電子時計のモードが前記時刻表示モードから前記時刻修正モードに切り替わると、前記秒針駆動手段によって、前記秒針を零秒位置に自動的に移動させ、前記分針駆動手段によって、前記分針を、その現在位置を基準として所定の正分位置に自動的に移動させる第一時刻修正工程を備える、
ことを特徴とする時刻修正方法。
【請求項７】
秒針および分針を含んで時刻を表示する指針と、前記秒針を駆動する秒針駆動手段と、前記分針を駆動する分針駆動手段と、時刻表示モードと時刻修正モードとを切り替えるモード切替え手段とを備え、前記時刻表示モードにおいては前記分針が前記分針駆動手段によって各正分位置間を複数ステップで運針される電子時計における時刻修正プログラムであって、
前記電子時計に組み込まれたコンピュータを、前記モード切替え手段によって、前記電子時計のモードが前記時刻表示モードから前記時刻修正モードに切り替わると、前記秒針駆動手段によって、前記秒針を零秒位置に自動的に移動させ、前記分針駆動手段によって、前記分針を、その現在位置を基準として所定の正分位置に自動的に移動させる第一時刻修正手段として機能させる、
ことを特徴とする時刻修正プログラム。
【請求項８】
請求項７に記載の時刻修正プログラムが記録され、電子時計に組み込まれたコンピュータによって読み取り可能である、
ことを特徴とする記録媒体。
【発明の詳細な説明】
【技術分野】
【０００１】
本発明は、電子時計、電子時計の時刻修正方法、電子時計の時刻修正プログラム、記録媒体に関する。
【背景技術】
【０００２】
入力されるパルス信号に基づいて指針を駆動するステッピングモータを備えるアナログ表示式の電子時計における時刻修正方法としては、竜頭の操作により指針を手動で所望位置に移動させる方法のほか、竜頭やボタンの操作によりステッピングモータに所望のパルス信号を入力してモータ駆動によって指針を所望位置に移動させる方法が知られている（例えば、特許文献１参照）。
【０００３】
特許文献１の電子時計では、時刻修正の際に竜頭（照明操作手段）が引き出された状態でボタン（分帰零手段）を押すと、秒針駆動用および分針駆動用の各ステッピングモータに所定のパルス信号が入力され、秒針および分針が帰零する。さらに、ボタンが押された状態が２秒以上継続すると、分針駆動用のステッピングモータに所定のパルス信号が入力され、分針が１分単位で早送りされる。これにより、分針を所望の正分位置に移動させることができるから、正時以外のタイミングであっても時刻修正を行うことができる。
なお、正時とは、毎時ちょうどの時刻であり、分針が０分位置に有る時刻を意味する。また、正分位置とは、毎分ちょうどの時刻における分針位置、すなわち、秒針が０秒位置にあるときの分針位置、の意味であり、０分（＝６０分）位置から５９分位置までの合計６０の位置を指称する。
【０００４】
また、電子時計の１タイプとして、標準電波の受信によって時刻情報を取得し、この時刻情報を、指針の位置を表す針位置記憶手段の数値と比較し、両者の差がなくなるようなパルス信号を各指針駆動用のステッピングモータに入力することにより、自動で時刻修正を行う電波修正時計が知られている。ここで、電波修正による時刻修正を行うためには、針位置記憶手段の数値と指針位置とが一致していることが前提であり、指針位置のみを単独で変更させることはできない。そのため、竜頭の操作により指針のみを手動で移動させる前述の時刻修正方法は採用できない。したがって、電波修正時計では、標準電波の受信によって自動で時刻修正を行うほかは、竜頭やボタンの操作により指針駆動用のモータを駆動して時刻修正を行うしかない。
【０００５】
【特許文献１】特開２０００−３４６９６７号公報（第７，８頁、図８，９）
【発明の開示】
【発明が解決しようとする課題】
【０００６】
モータ駆動による時刻修正機能を有する特許文献１の電子時計では、正時以外のタイミングで時刻修正を行う際、すなわち、分針を０分位置以外の所望分位置に移動させて時刻修正を行う際にも、分針を一旦０分位置に帰零させるという無駄な動作を行っているため、電力を無駄に消費するとともに、分針を所望分位置に迅速に移動させることができず、時刻修正に時間がかかってしまうという問題があった。
このような問題は、モータ駆動による時刻修正機能を有する電子時計一般に共通の問題であるが、特に、手動で指針のみを移動させることができず、標準電波受信による自動時刻修正のほかは専らモータ駆動によって時刻を修正しなければならない電波修正時計に顕著な問題であった。
【０００７】
本発明の目的は、正時以外のタイミングでの時刻修正を小さな電力消費で迅速に行うことができる電子時計、電子時計の時刻修正方法、電子時計の時刻修正プログラム、記録媒体を提供することである。
【課題を解決するための手段】
【０００８】
本発明の電子時計は、秒針および分針を含んで時刻を表示する指針と、前記秒針を駆動する秒針駆動手段と、前記分針を駆動する分針駆動手段と、時刻表示モードと時刻修正モードとを切り替えるモード切替え手段とを備え、前記時刻表示モードにおいては前記分針が前記分針駆動手段によって各正分位置間を複数ステップで運針される電子時計であって、前記モード切替え手段によって、前記電子時計のモードが前記時刻表示モードから前記時刻修正モードに切り替わると、前記秒針駆動手段によって、前記秒針を零秒位置に自動的に移動させ、前記分針駆動手段によって、前記分針を、その現在位置を基準として所定の正分位置に自動的に移動させる第一時刻修正手段を備える、ことを特徴とする。
【０００９】
ここで、第一時刻修正手段は、分針を、その現在位置を基準として所定の正分位置に自動的に移動させることとしているが、ここでいう「所定の正分位置」とは、分針の現在位置を基準とした所定範囲内にある正分位置を意味する。所定範囲の例としては、分針の現在位置から見て１分以上２分未満だけ後または前の時間範囲や、分針の現在位置から見て２分以上３分未満だけ後または先の時間範囲などが挙げられる。
特に、本発明では、前記第一時刻修正手段は、前記分針を、その現在位置から見て直後または直前の正分位置に自動的に移動させる、ことが好ましい。
ここでいう「直後または直前の正分位置」とは、言い換えれば、分針の現在位置から見て１分未満だけ後または先の時間範囲内にある正分位置である。
【００１０】
ここで、電子時計におけるモードのうち、指針によって現在時刻を表示するモードが時刻表示モードであり、秒針駆動手段および分針駆動手段によって秒針および分針を所望位置に移動させ、その表示時刻を修正するモードが時刻修正モードである。また、分針は時刻表示モードにおいて各正分位置間を複数ステップで運針されることとしているが、ここで言う「複数ステップ」は電子時計のタイプに応じて決まり、例えば、分針が３０秒に１回運針されるタイプの電子時計では、分針は各正分位置間を２ステップ（∵６０秒÷３０秒＝２）で運針され、また、分針が５秒に１回運針されるタイプの電子時計では、分針は各正分位置間を１２ステップ（∵６０秒÷５秒＝１２）で運針される。また、各正分位置間の運針ステップ数が比較的大きくなると、分針は各正分位置間を略連続的にスイープ運針されることになる。
【００１１】
本発明の電子時計において時刻修正を行うために、モード切替え手段によって、電子時計のモードを時刻表示モードから時刻修正モードへ切り替えると、第一時刻修正手段は、秒針駆動手段を利用して、秒針を０秒位置に帰零させると同時に、分針駆動手段を利用して、分針を、その現在位置から見て直後または直前の正分位置に自動的に移動させる。分針が正分位置に移動した後、電話、テレビ、ラジオ等から得られる時刻情報を基に、利用者が分針の現在の正分位置と一致する正分のタイミングに合わせて電子時計を時刻表示モードに戻すことによって、指針によって表示される時刻を、前記の時刻情報に基づく正確な時刻に一致させることができる。
なお、第一時刻修正手段は、分針を必ず直後の正分位置に移動させるように構成されてもよいし、分針を必ず直前の正分位置に移動させるように構成されてもよい。また、直後および直前のいずれの正分位置に分針を移動させるかが、事前の設定によって予め選択されるようにしてもよいし、また、時刻修正の都度選択されるようにしてもよい。
【００１２】
本発明では、正時以外のタイミングで時刻修正を行う際にも、特許文献１のように分針を一旦０分位置に帰零させるという無駄な動作を行わず、第一時刻修正手段によって分針を直後または直前の正分位置に移動させることとし、分針を所望の正分位置に小さな電力消費で迅速に移動させることができ、時刻修正を短時間で効率的に行うことができる。
【００１３】
また、計時精度の高い近年の電子時計にあっては、計時誤差は多くの場合一分未満である。このとき、本発明の電子時計によれば、モードを時刻修正モードに切り替えただけで、秒針を０秒位置に、分針を現在時刻から見て直後の正分位置に自動的に移動させることができるから、あとは電話、テレビ、ラジオ等から得られる正分のタイミングに合わせて利用者がモードを時刻表示モードに切り替えれば、時刻修正が行える。このように、計時誤差が一分未満であれば電子時計のモードの切替えを行うだけで、別の操作を追加的に行うことなく、時刻を簡単に修正することができる。
【００１４】
また、本発明の電子時計では、前記第一時刻修正手段によって、前記秒針が零秒位置に自動的に移動され、前記分針が正分位置に自動的に移動された後、前記時刻修正モードが継続される間に所定の操作が行われると、前記分針駆動手段を用いて、前記分針を、現在の正分位置の一分後または一分前の正分位置に一分単位で順次移動させる第二時刻修正手段を備える、ことが好ましい。
【００１５】
この電子時計の計時誤差が一分以上である場合には、第一時刻修正手段によって、秒針を０秒位置に帰零させ、分針を直後または直前の正分位置に移動させたとしても、このとき指針によって表示される時刻と、実際の時刻との間には、通常、依然として一分以上の誤差がある。そこで、第二時刻修正手段によって分針を一分単位で順次移動させることにより、指針によって表示される時刻が実際の時刻よりも先の時刻で、かつ、その時刻の差が一分未満になるようにする。続いて、電話、テレビ、ラジオ等から得られる時刻情報を基に、分針の現在の正分位置と一致する正分のタイミングに合わせて利用者が電子時計を時刻表示モードに戻すことによって、指針によって表示される時刻を、前記の時刻情報に基づく正確な時刻に一致させることができる。
【００１６】
この電子時計によれば、第一時刻修正手段によって秒針が０秒位置に移動され分針が直後または直前の正分位置に移動された後、第二時刻修正手段が、分針を、その現在の正分位置を始点として一分単位で移動させるので、時刻修正モードにおいて分針は常に正分位置に有る。そのため、電話等の時刻情報から得られる正分のタイミングに合わせて時刻表示モードに戻すことにより、容易かつ正確に時刻修正を行うことができる。
【００１７】
また、本発明の電子時計では、カレンダ情報を表示するカレンダ情報表示手段を備え、前記時刻修正モードにおいて前記秒針または前記分針が移動される際に、前記指針によって表示される時刻が午前０時０分０秒になったとき、前記カレンダ情報表示手段は、そのカレンダ情報を一日分変更する、ことが好ましい。
【００１８】
ここで、「カレンダ情報」とは、日単位で更新される情報を意味し、日、曜日、月、年についての情報が例示される。また、カレンダ情報を一日分変更するとは、カレンダ情報を一日分進め、または、戻すことを意味する。ここで、カレンダ情報を進めるか戻すかは、事前の設定等によって予め選択されるようにしてもよいし、また、カレンダ情報変更の都度選択されるようにしてもよい。
【００１９】
一般に、アナログ表示式の電子時計は、１２時間周期で駆動される指針によって時刻を表示しているので、指針を見ただけでは、それが午前の時刻を示しているか午後の時刻を示しているかを判別することができない。しかし、本発明の電子時計では、モードを時刻修正モードに切り替えた上で指針を駆動して、全ての指針を零位置（午前／午後０時０分０秒）に移動させれば、そのときのカレンダ情報の変更の有無を確認することにより、指針の表示時刻における午前／午後を判別できる。すなわち、カレンダ情報が変更されれば、そのとき指針が午前０時０分０秒を表示していることがわかり、また、カレンダ情報が変更されなければ、そのとき指針が午後０時０分０秒を表示していることがわかる。したがって、本発明によれば、午前／午後を含めた時刻合わせを適切に行うことができる。
【００２０】
また、本発明の電子時計では、前記時刻表示モードにおける前記秒針および前記分針の運針と同期して数値が変更される針位置記憶手段が設けられ、前記時刻修正モードでは、前記針位置記憶手段の数値に基づいて前記秒針および前記分針の移動すべき量が算出されて前記秒針および前記分針が移動されるとともに、移動後の前記秒針および前記分針の位置に合わせて前記針位置記憶手段の数値が修正される、ことが好ましい。
【００２１】
この電子時計では、時刻表示モードにおいて針位置記憶手段の数値が秒針および分針の運針と同期して変更されるので、針位置記憶手段の数値は、秒針および分針の位置を示している。時刻修正モードでは、第一または第二時刻修正手段が、針位置記憶手段の数値を通じて秒針および分針の現在位置を認識し、所望の秒針位置および分針位置までの移動すべき量を算出して、秒針および分針を移動させる。それと同時に、第一または第二時刻修正手段は、移動後の秒針位置および分針位置に合わせて針位置記憶手段の数値を修正するが、これにより、時刻表示モードおよび時刻修正モードを通じて、針位置記憶手段の数値が、実際の秒針位置および分針位置と一致するようになる。したがって、針位置記憶手段の数値によって秒針および分針の現在位置を知ることができ、この数値に基づいて時刻の修正を適切に行えるので、秒針および分針の位置を検出するための針位置センサなどを設ける必要がなく、電子時計を小型化、薄型化できる。
【００２２】
また、一般の電波修正時計には、指針の位置を数値によって表す針位置記憶手段が設けられ、この針位置記憶手段の数値と、標準電波の受信によって取得される時刻情報との比較に基づいて電波受信による自動時刻修正を行っている。ここで、電波修正時計の針位置記憶手段は指針の位置を表すので、これを本発明の針位置記憶手段として利用でき、本発明を電波修正時計に利用する場合には、新たに針位置記憶手段を追加的に設ける必要がないから、部品点数の増加を抑え、構造の複雑化を防止できる。
【００２３】
本発明の電子時計の時刻修正方法は、秒針および分針を含んで時刻を表示する指針と、前記秒針を駆動する秒針駆動手段と、前記分針を駆動する分針駆動手段と、時刻表示モードと時刻修正モードとを切り替えるモード切替え手段とを備え、前記時刻表示モードにおいては前記分針が前記分針駆動手段によって各正分位置間を複数ステップで運針される電子時計における時刻修正方法であって、前記モード切替え手段によって、前記電子時計のモードが前記時刻表示モードから前記時刻修正モードに切り替わると、前記秒針駆動手段によって、前記秒針を零秒位置に自動的に移動させ、前記分針駆動手段によって、前記分針を、その現在位置を基準として所定の正分位置に自動的に移動させる第一時刻修正工程を備える、ことを特徴とする。
【００２４】
本発明の時刻修正方法では、前記第一時刻修正工程では、前記分針を、その現在位置から見て直後または直前の正分位置に自動的に移動させる、ことが好ましい。
また、本発明の時刻修正方法では、前記第一時刻修正工程において、前記秒針が零秒位置に自動的に移動され、前記分針が正分位置に自動的に移動された後、前記時刻修正モードが継続される間に所定の操作が行われると、前記分針駆動手段を用いて、前記分針を、現在の正分位置の一分後または一分前の正分位置に一分単位で順次移動させる第二時刻修正工程を備える、ことが好ましい。
また、本発明の時刻修正方法では、カレンダ情報を表示するカレンダ情報表示手段を備え、前記時刻修正モードにおいて前記秒針または前記分針が移動される際に、前記指針によって表示される時刻が午前０時０分０秒になったとき、前記カレンダ情報表示手段のカレンダ情報を一日分変更するカレンダ情報変更工程を備える、ことが好ましい。
また、本発明の時刻修正方法では、前記時刻表示モードにおける前記秒針および前記分針の運針と同期して数値が変更される針位置記憶手段が設けられ、前記時刻修正モードでは、前記針位置記憶手段の数値に基づいて前記秒針および前記分針の移動すべき量が算出されて前記秒針および前記分針が移動されるとともに、移動後の前記秒針および前記分針の位置に合わせて前記針位置記憶手段の数値が修正される、ことが好ましい。
【００２５】
本発明の電子時計の時刻修正プログラムは、秒針および分針を含んで時刻を表示する指針と、前記秒針を駆動する秒針駆動手段と、前記分針を駆動する分針駆動手段と、時刻表示モードと時刻修正モードとを切り替えるモード切替え手段とを備え、前記時刻表示モードにおいては前記分針が前記分針駆動手段によって各正分位置間を複数ステップで運針される電子時計における時刻修正プログラムであって、前記電子時計に組み込まれたコンピュータを、前記モード切替え手段によって、前記電子時計のモードが前記時刻表示モードから前記時刻修正モードに切り替わると、前記秒針駆動手段によって、前記秒針を零秒位置に自動的に移動させ、前記分針駆動手段によって、前記分針を、その現在位置を基準として所定の正分位置に自動的に移動させる第一時刻修正手段として機能させる、ことを特徴とする。
【００２６】
本発明の記録媒体は、前記時刻修正プログラムが記録され、電子時計に組み込まれたコンピュータによって読み取り可能である、ことを特徴とする。  
【００２７】
本発明にかかる以上の時刻修正方法、時刻修正プログラム、記録媒体は、前述した本発明の電子時計の時刻修正に利用されるので、本発明の電子時計について前述した作用・効果を奏することができる。
【発明の効果】
【００２８】
本発明によれば、正時以外のタイミングでの時刻修正を小さな消費電力で迅速に行うことができる。
【発明を実施するための最良の形態】
【００２９】
以下、本発明の実施形態を図面に基づいて説明する。
図１は、本発明の電子時計としての電波修正時計１の構成を示すブロック図である。図２は、電波修正時計１の時刻修正モードにおける時刻修正の手順を示すフローチャートである。
【００３０】
電波修正時計１は、アナログ表示式の時計であり、時刻情報を含んだ無線情報を受信して時刻の修正を行うことができる。
電波修正時計１は、時刻情報を含んだ無線情報を受信する受信部２と、クロック信号を発振するクロック信号発振部３と、電波修正時計１を制御する制御部４と、時刻等を表示する時刻表示手段５と、時刻修正操作を行うための外部操作手段６とを備えて構成されている。
【００３１】
受信部２は、時刻情報を含んだ無線情報を受信するアンテナ２１と、アンテナ２１で受信した無線情報に所定の処理（増幅、復調等）を施す受信回路２２と、受信回路２２で処理が施された信号から時刻情報をデコードするデコード回路２３とを備えて構成されている。デコード回路２３で得られた時刻情報は、後述する受信時刻記憶手段４３に出力される。ここで、時刻情報を含んだ無線情報としては、長波標準電波（ＪＪＹ）などが利用できるが、必ずしも標準電波に限られない。
【００３２】
なお、受信部２は、常に時刻情報を含んだ無線情報を受信しているわけではなく、予め設定された自動受信時刻になった場合や、利用者の強制受信操作が行われた場合などに作動されて無線情報を受信する。
【００３３】
クロック信号発振部３は、水晶振動子３１Ａを含んで構成される水晶発振回路３１と、この水晶発振回路３１からのパルスを分周して基準クロック信号（１Ｈｚ等）を生成する分周回路３２によって構成されている。分周回路３２において生成された基準クロック信号は、後述する計時制御手段４１に出力される。
【００３４】
制御部４は、計時制御手段４１と、針位置記憶手段４２と、受信時刻記憶手段４３と、秒モータ制御回路４４と、時分モータ制御回路４５と、カレンダモータ制御回路４６と、時刻修正モード検出手段４７と、スイッチ検出手段４８と、時刻カウンタ修正手段４９とを備えて構成される。  制御部４は、ＣＰＵやメモリを有するマイコン（マイクロコンピュータ）によって構成され、このマイコンに所定の時刻修正プログラムを読み込ませることによって、前記各手段・回路４１〜４９を構成している。このようにすれば、時刻修正プログラムを変更するだけで、前記各手段・回路４１〜４９を再構成することができ、時刻修正の条件を容易に変更できるため、電波修正時計を含む各種の電子時計に応じた適切な制御を容易に行うことができるという利点がある。
なお、制御部４のマイコンに時刻修正プログラムを組み込むには、メモリーカードやＣＤ−ＲＯＭ等の記録媒体を電波修正時計１に直接差し込んで行ってもよいし、これらの記録媒体を読み取る機器を外付けで電波修正時計１に接続してもよい。さらに、ＬＡＮケーブル、電話線等を電波修正時計１に接続したり、アンテナ２１を利用したりすることで通信によって時刻修正プログラムを供給しインストールしてもよい。
【００３５】
時刻表示手段５は、アナログ式の時刻表示手段であり、目盛りを有する文字板５１と、時針５２，分針５３，秒針５４の各指針と、カレンダ情報表示手段としての日車とを備えて構成されている。なお、日車の円周上に記載された日は、文字板５１に設けられた日表示用の窓５５から視認できる。
【００３６】
外部操作手段６は、段階的に押し引き可能な竜頭６１と、プッシュボタン６２とを備えて構成される。
竜頭６１は、本発明のモード切替え手段として、スイッチＳ１と連動して電波修正時計１のモード切替えを行うものであり、竜頭６１が電波修正時計１の外装ケースに対して押し込まれた位置にあるときは、スイッチＳ１が開いており、また、竜頭６１が電波修正時計１の外装ケースにから引き出された位置にあるときは、スイッチＳ１が閉じている。
プッシュボタン６２は、手指等による押し操作が可能であり、手指等が離れるとばね等の付勢力によって自動復帰するタイプのボタンである。プッシュボタン６２は、スイッチＳ２と連動している。すなわち、プッシュボタン６２が押されているときは、スイッチＳ２が閉じられ、また、プッシュボタン６２が押されていないときは、スイッチＳ２が開いている。
【００３７】
計時制御手段４１は、分周回路３２，受信時刻記憶手段４３，時刻カウンタ修正手段４９から入力される各種の信号に基づいて数値が変更される秒、分、時、カレンダのそれぞれについてのカウンタを備える。このカウンタの数値と、針位置記憶手段４２のカウンタ（後述）の数値との間に差があると、計時制御手段４１は、この数値差に基づくパルス信号を針位置記憶手段４２および各モータ制御回路４４，４５，４６に同時に出力する。
【００３８】
計時制御手段４１の秒カウンタは、通常運針時には、分周回路３２からの基準クロック信号の１パルスごとに１ずつカウントアップされて０〜５９の範囲内で循環する数値カウンタである。０〜５９の各数値は、文字板５１の円周方向を６０等分した場合の各等分位置に対応し、この各等分位置間を秒針５４がステップ運針されることを意味する。すなわち、秒針５４は、文字板５１上を６０ステップで１回転され、例えば、秒カウンタの数値が２０のときは、通常、秒針５４が２０秒の位置にあることを意味する。
【００３９】
計時制御手段４１の分カウンタは、通常運針時には、分周回路３２からの基準クロック信号の５パルスごとに１ずつカウントアップされて０〜７１９の範囲内で循環する数値カウンタである。０〜７１９の各数値は、文字板５１の円周方向を７２０等分した場合の各等分位置に対応し、この各当分位置間を分針５３がステップ運針されることを意味する。すなわち、分針５３は、文字板５１上を７２０ステップで１回転される。ここで、１ステップは各正分位置間の１／１２（∵７２０÷６０＝１２）に対応するので、分針５３は、各正分位置間を１２ステップで運針されるようになっている。例えば、分カウンタの数値が２４０のときは、通常、分針５３が２０分の正分位置にあることを意味する。
【００４０】
計時制御手段４１の時カウンタは、通常運針時には、分カウンタがカウントアップされて７１９から０へと更新される際に１ずつカウントアップされて０〜２３の範囲内で循環する数値カウンタである。０〜２３の各数値は、時を意味し、例えば、時カウンタの数値が１５のときは、通常、１５時（１５時０分０秒〜１５時５９分５９秒）であることを意味する。なお、後述するように、時針５２は分針５３に連動してステップ運針されるようになっている。
【００４１】
計時制御手段４１のカレンダカウンタは、通常運針時には、時カウンタがカウントアップされて２３から０へと更新される際にカウントアップされて１〜３１の範囲内で循環する数値カウンタである。１〜３１の各数値は、窓５５内に表示される日を意味し、例えば１５のときは、通常、窓５５内に１５（１５日）が表示される。
【００４２】
針位置記憶手段４２は、計時制御手段４１のカウンタと同様の秒、分、時、カレンダについてのカウンタを備えている。このカウンタの数値は、後述するように、秒、分、時の各指針、日車の位置に対応し、計時制御手段４１から入力されるパルス信号に応じてカウントアップされる。
【００４３】
受信時刻記憶手段４３は、アンテナ２１による時刻情報受信の際、すなわち、電波受信による自動時刻修正の際に、この時刻情報を記憶する秒、分、時、カレンダについてのメモリを備えている。秒メモリは０〜５９の、分メモリは０〜５９の、時メモリは０〜２３の、カレンダメモリは１〜３１の整数値メモリであり、各メモリの数値は、それぞれ、受信した時刻情報の秒、分、時、日に対応する。
受信時刻記憶手段４３は、そのメモリに記憶された時刻情報を、所定のタイミングで、計時制御手段４１のカウンタに書き込む。
【００４４】
ここで、受信時刻記憶手段４３の分メモリが０〜５９の間の数値で分を表すのに対し、計時制御手段４１の分カウンタは０〜７１９の間の数値で分を表すから、両者を整合させるために、受信時刻記憶手段４３の分メモリの数値を１２倍したものを計時制御手段４１の分カウンタに書き込む。したがって、計時制御手段４１の分カウンタに書き込まれるのは、０，１２，２４，・・・，７０８という１２刻みの数値になる。なお、この１２刻みの各数値は、分針５３についての各正分位置に対応している。このように、計時制御手段４１の分カウンタには正分位置に対応する数値のみが書き込まれるが、計時制御手段４１への時刻情報の書き込みを正分のタイミングで行うことにすれば、秒カウンタに書き込まれる数値はかならず０になるので、正分位置に対応する数値が書き込まれる分カウンタと秒カウンタとの間で齟齬が生じるおそれはない。また、分メモリ／カウンタ以外の秒、時、カレンダの各メモリ／カウンタについては、受信時刻記憶手段４３と計時制御手段４１とで同一数値範囲のものを用いているので、受信時刻記憶手段４３の当該各メモリに記憶された数値を、そのまま計時制御手段４１の対応する各カウンタに書き込む。
以上のように、自動時刻修正時において計時制御手段４１の各カウンタの数値がアンテナ２１によって受信された時刻情報と一致するようになっている。
【００４５】
秒モータ制御回路４４、時分モータ制御回路４５、カレンダモータ制御回路４６は、それぞれ、計時制御手段４１から入力されるパルス信号に応じて、ステッピングモータとしての秒モータＭ０（本発明の秒針駆動手段）、時分モータＭ１（本発明の分針駆動手段）、カレンダモータＭ２へ所定のパルス信号を入力し、これらを駆動する。また、秒モータＭ０は秒針５４を駆動し、時分モータＭ１は時針５２および分針５３を駆動し、カレンダモータＭ２は日車を駆動する。ここで、時針５２および分針５３は図示しない輪列により連動して回転できるようになっているので、一つの時分モータＭ１によって駆動できる。具体的には、時針５２は、分針５３が文字板５１上を１回転する間に１時間分だけ回転するように構成されている。
【００４６】
時刻修正モード検出手段４７は、スイッチＳ１の開閉を検出することにより電波修正時計１のモードを検出する。すなわち、時刻修正モード検出手段４７は、スイッチＳ１が開いているときは時刻表示モードを検出し、スイッチＳ１が閉じているときは時刻修正モードを検出する。
時刻修正モード検出手段４７は、竜頭６１が引き出されることによりスイッチＳ１が閉じられ、電波修正時計１のモードが時刻表示モードから時刻修正モードに切り替わったのを検出したとき、および、その後竜頭６１が押し込まれることによりスイッチＳ１が開かれ、電波修正時計１のモードが時刻修正モードから時刻表示モードに切り替わったのを検出したときに、時刻カウンタ修正手段４９に向けて信号を出力する。
【００４７】
スイッチ検出手段４８は、スイッチＳ２の開閉を検出し、プッシュボタン６２が押されることによりスイッチＳ２が閉じられると、時刻カウンタ修正手段４９に向けてパルス信号を出力する。ここで、パルス信号は、プッシュボタン６２が押される（Ｓ２：閉）たびごとにスイッチ検出手段４８から出力される。
【００４８】
時刻カウンタ修正手段４９は、時刻修正モード検出手段４７またはスイッチ検出手段４８から入力される信号に基づいて、計時制御手段４１に向けて各種の修正信号（後述）を出力する。計時制御手段４１は、入力された修正信号に基づいてカウンタの数値を修正する。
【００４９】
電波修正時計１の動作を、時刻表示モードにおける通常運針時、時刻情報を含んだ無線情報の受信に基づく自動時刻修正時、時刻修正モードにおける時刻修正時の順に説明する。
【００５０】
＜時刻表示モードにおける通常運針時＞
時刻表示モードにおける通常運針時には、クロック信号発振部３からの基準クロック信号（１Ｈｚ）が計時制御手段４１に入力されて、そのカウンタがカウントアップされる。計時制御手段４１のカウンタがカウントアップされると、針位置記憶手段４２のカウンタの数値と差が生じるので、計時制御手段４１は、この数値差をなくすためのパルス信号を針位置記憶手段４２に出力すると同時に、同じパルス信号を各モータ制御回路４４，４５，４６にも出力する。なお、基準クロック信号が１Ｈｚなので、計時制御手段４１から針位置記憶手段４２および各モータ制御回路４４，４５，４６に出力されるパルス信号も１Ｈｚである。
【００５１】
針位置記憶手段４２に入力された１Ｈｚのパルス信号は、そのカウンタをカウントアップし、計時制御手段４１のカウンタの数値と一致させる。また、各モータ制御回路４４，４５，４６に入力された１Ｈｚのパルス信号は、各モータＭ０，Ｍ１，Ｍ２を駆動し、各指針５４，５３，５２を駆動させる。このように、針位置記憶手段４２のカウンタの数値と、各指針５４，５３，５２の位置とが同期して変化されるので、初期設定において両者を一致させておけば、常に両者が一致して変化されるようになる。したがって、各指針５４，５３，５２の位置は、針位置記憶手段４２の各カウンタの数値と一致している。このように、針位置記憶手段４２の各カウンタは、時刻表示モードにおける秒針５４および分針５３の運針と同期して数値が変更されるようになっている。
【００５２】
より具体的には、時刻表示モードにおける通常運針時に、１Ｈｚの基準クロック信号が計時制御手段４１に入力されると、秒カウンタ（０〜５９）は１秒に１回ずつカウントアップされ、秒針５４は秒モータＭ０によって１秒に１ステップずつ、１秒単位で各正秒位置間を運針される。
また、分カウンタ（０〜７１９）は５秒に１回ずつカウントアップされ、分針５３は時分モータＭ１によって５秒に１ステップ（各正分位置間の１／１２に相当）ずつ運針されて、各正分位置間を１２ステップで運針されるようになっている。そのため、分針５３が１時間（６０分）をかけて文字板５１上を１回転する間に、分針５３は１２×６０＝７２０ステップの運針を行うことになる。
【００５３】
また、時カウンタ（０〜２３）は、分カウンタがカウントアップされて７１９から０へと更新される際（１時間ごと）に１ずつカウントアップされる。なお、時針５２は、前述したように、時分モータＭ１によって分針５３と連動して運針される。
また、カレンダカウンタ（１〜３１）は、時カウンタがカウントアップされて２３から０へと更新される際、すなわち、指針による表示時刻が午前０時０分０秒になった際（２４時間ごと）にカウントアップされ、日車はカレンダモータＭ２によって午前０時０分０秒になるたびに回転され、窓５５に表示される日が一日分更新される。カレンダカウンタは、午前０時０分０秒になるごとに１ずつカウントアップされるのが通常であるが、月によって日数がまちまちであるので、それを正すため、月の初日の午前０時０分０秒においては、その前月の日数に合わせてカレンダカウンタのカウントアップされる量が自動的に調整されるようになっている。例えば、３月１日の午前０時０分０秒（２月２８日から３月１日になった瞬間）においては、２月が２８日までなので、カレンダカウンタは２８→２９→３０→３１→１というように４カウントアップされ、日車が４日分回転される。
なお、図示しない日車調整ボタンの操作によって、計時制御手段４１のカレンダカウンタを修正し、それに基づいて日車の所望日を窓５５内に表示することができるようになっている。
【００５４】
＜時刻情報を含んだ無線情報の受信に基づく自動時刻修正時＞
受信部２が時刻情報を含んだ無線情報を受信すると、受信時刻記憶手段４３のメモリに当該時刻情報が記憶され、さらに、計時制御手段４１のカウンタの数値が当該時刻情報と一致されるように修正される。計時制御手段４１は、修正されたカウンタの数値と、針位置記憶手段４２のカウンタの数値との差分に相当するパルス信号を針位置記憶手段４２および各モータ制御回路４４，４５，４６に出力し、各指針５４，５３，５２を、各モータＭ０，Ｍ１，Ｍ２によって受信した時刻情報に基づく正確な時刻位置に移動させるとともに、針位置記憶手段４２のカウンタを、各指針５４，５３，５２の移動後の位置に合わせてカウントアップする。このようにして、時刻の自動修正が行われ、以後、通常の運針に戻る。
【００５５】
＜時刻修正モードにおける時刻修正時＞
図２のフローチャートを参照して、時刻修正モードにおける時刻修正について説明する。
まず、利用者が竜頭６１を電波修正時計１の外装ケースから引き出すことによってスイッチＳ１が閉じられ、電波修正時計１のモードが時刻表示モードから時刻修正モードに切り替わったことを時刻修正モード検出手段４７が検出すると、時刻カウンタ修正手段４９に向けて信号を出力する。時刻カウンタ修正手段４９は、この入力信号に基づいて、計時制御手段４１に向けて第一修正信号を出力する。計時制御手段４１は、第一修正信号が入力されると、電波修正時計１のモードが時刻修正モードに切り替わったと判断して（ＳＴ１。なお、ＳＴはステップの意。以下同様）、分周回路３２から入力されている１Ｈｚの基準クロック信号を無視してカウンタがカウントアップされないようにする。さらに、計時制御手段４１は、針位置記憶手段４２の秒カウンタの数値が０であるか否かを確認して、秒針５４が０秒位置にあるか否かを判断する（ＳＴ２）。
【００５６】
針位置記憶手段４２の秒カウンタの数値が０でないとき、計時制御手段４１は、ＳＴ２においてＮｏと判断してＳＴ３に移行し、計時制御手段４１の秒カウンタの数値を０に修正する。すると、計時制御手段４１の秒カウンタの数値（＝０）と針位置記憶手段４２の秒カウンタの数値（≠０）との間に差が生じるから、計時制御手段４１がパルス信号を出力し、針位置記憶手段４２の秒カウンタがカウントアップされて０に更新されるとともに、秒針５４が秒モータＭ０によって０秒位置へ早送り運針される（ＳＴ３）。
また、針位置記憶手段４２の秒カウンタの数値が０であるとき、計時制御手段４１は、ＳＴ２においてＹｅｓと判断して、ＳＴ３を行わない。
【００５７】
続いて、計時制御手段４１は、針位置記憶手段４２の分カウンタの数値から分針５３が正分位置にあるか否かを判定する（ＳＴ４）。前述したとおり、分針５３は、各正分位置間を１２ステップで運針されるので、分針５３が正分位置にあるのは、針位置記憶手段４２の分カウンタの数値（０〜７１９）が１２で割り切れるとき、すなわち、０（０分位置），１２（１分位置），２４（２分位置），・・・，７０８（５９分位置）のときである。
【００５８】
計時制御手段４１は、ＳＴ４において分針５３が正分位置に無い（Ｎｏ）と判断するとＳＴ５に移行し、計時制御手段４１の分カウンタの数値を修正する。この修正に基づいて、計時制御手段４１はパルス信号を出力し、針位置記憶手段４２の分カウンタの数値を修正するとともに、分針５３を時分モータＭ１によって直後の正分位置に運針する。例えば、針位置記憶手段４２の分カウンタの数値が１７（分針５３が１分位置（１２）と２分位置（２４）との間）のとき、計時制御手段４１は、自身の分カウンタの数値を２４に修正し、針位置記憶手段４２の分カウンタ（１７）との数値差２４−１７＝７に相当する７個のパルス信号を出力し、針位置記憶手段４２の分カウンタの数値を１７から２４へと修正するとともに、時分モータＭ１によって分針５３を７ステップ運針して直後の２分位置に自動的に移動させる。
【００５９】
以上のように、計時制御手段４１は、竜頭６１の引き出し操作によって電波修正時計１のモードが時刻表示モードから時刻修正モードに切り替わると、秒モータＭ０および時分モータＭ１によって、秒針５４を零秒位置に自動的に移動させ、分針５３を、その現在位置から見て直後の正分位置に自動的に移動させる本発明の第一時刻修正手段を構成している。  また、ＳＴ３やＳＴ５では、針位置記憶手段４２の各カウンタの数値に基づいて秒針５４および分針５３の移動すべき量が算出されて、秒針５４および分針５３が移動されるとともに、移動後の秒針５４および分針５３の位置に合わせて針位置記憶手段４２の各カウンタの数値が修正されるようになっている。
なお、計時制御手段４１は、ＳＴ４において、分針５３が正分位置に有る（Ｙｅｓ）と判断すると、ＳＴ５を行わない。
【００６０】
続くＳＴ６では、計時制御手段４１が、針位置記憶手段４２の時カウンタおよび分カウンタの数値が０になっているか否かを確認することによって、ＳＴ３，ＳＴ５における各指針の運針の結果、指針によって表示される時刻が午前０時０分になっているか否かを判断する。なお、午前０時０分には、時針５２および分針５３が０位置にあるが、電波修正時計１は１２時間周期で駆動される指針によって時刻を表示するため、指針を見ただけでは、それが午前０時０分であるか午後０時０分であるかの判別がつかない。そこで、針位置記憶手段４２の時カウンタの数値に基づいて午前０時０分であるか午後０時０分であるかの判別を行っている。すなわち、午前０時０分であれば時カウンタの数値が０であり、午後０時０分であれば時カウンタの数値が１２であるから、両者を混同することがなくなる。
【００６１】
さて、指針によって表示される時刻が午前０時０分になっていると、計時制御手段４１は、ＳＴ６においてＹｅｓと判断してＳＴ７に移行し、自身のカレンダカウンタをカウントアップさせる。すると、計時制御手段４１のカレンダカウンタの数値と、針位置記憶手段４２のカレンダカウンタの数値との間に差が生じるから、計時制御手段４１はパルス信号を出力し、針位置記憶手段４２のカレンダカウンタをカウントアップさせるとともに、日車をカレンダモータＭ２によって一日分進める（カレンダを送る）。
【００６２】
続くＳＴ８では、時刻修正モードが継続される間（竜頭６１が引き出され、スイッチＳ１の閉状態が維持される間）において、スイッチＳ２が閉じられたか否かをスイッチ検出手段４８が判断する。プッシュボタン６２が押されることにより、スイッチＳ２が閉じられると（Ｙｅｓ）、スイッチ検出手段４８は時刻カウンタ修正手段４９に信号を出力する。時刻カウンタ修正手段４９は、時刻修正モード検出手段４７およびスイッチ検出手段４８からの信号に基づいて、スイッチＳ１が閉じられている間にスイッチＳ２が閉じられたことを確認すると、スイッチＳ２が閉じられた都度計時制御手段４１へ第二修正信号を出力する。計時制御手段４１は、第二修正信号が入力されると、自身の分カウンタを１２カウントアップする。すると、計時制御手段４１の分カウンタの数値と針位置記憶手段４２の分カウンタの数値との間には１２の差が生じるから、計時制御手段４１は１２個のパルス信号を出力し、針位置記憶手段４２の分カウンタを１２カウントアップさせるとともに、分針５３を時分モータＭ１によって１２ステップ早送り運針させる。前述したとおり、分針５３は各正分位置間を１２ステップで運針されるので、このとき分針５３は１分相当量だけ運針されることになる。ここで、分針５３はＳＴ５において正分位置に運針されているので、この正分位置を始点として、分針５３は次の正分位置へ運針されることになる（ＳＴ９）。
【００６３】
以降、時刻修正モードが継続される間（ＳＴ１０においてＹｅｓと判断される間）、ＳＴ６〜ＳＴ９が繰り返される。つまり、竜頭６１が引き出されている間にプッシュボタン６２が押された回数に応じて、分針５３が次の正分位置へ１分単位で順次運針されることになる。例えば、プッシュボタン６２が押された回数が５回であれば、分針５３は、５分先の正分位置へ運針されることになる。なお、この分針５３の運針の際に、表示される時刻が午前０時０分になった場合には、ＳＴ６において計時制御手段４１がＹｅｓと判定し、ＳＴ７において日車を一日分進めることになる。  以上のように、計時制御手段４１は、時刻修正モードが継続される間にプッシュボタン６２の押し操作が行われると、時分モータＭ１を用いて、分針５３を、その現在の正分位置の一分後の正分位置に一分単位で順次移動させる本発明の第二時刻修正手段を構成している。
なお、前述したとおり、時針５２は分針５３と連動しているので、ＳＴ５やＳＴ９で分針５３が運針される場合には、時針５２も連動して運針されることになる。
【００６４】
続いて、竜頭６１が押し込まれることによってスイッチＳ１が開くと、時刻修正モード検出手段４７は、電波修正時計１のモードが時刻表示モードに切り替わったことを感知し、時刻カウンタ修正手段４９を介して計時制御手段４１に信号を出力する。計時制御手段４１は、この信号が入力されると、時刻修正モードが終了したと判断して（ＳＴ１０）、分周回路３２から入力されている１Ｈｚの基準クロック信号に基づくカウンタのカウントアップを再開し、通常の計時動作を再開する。
【００６５】
時刻修正モードにおける時刻修正について、具体例を挙げて説明する。
指針によって表示される時刻の実際の時刻に対する遅れが一分未満である場合は、竜頭６１を引き出して時刻修正モードに切り替えるだけで、迅速に時刻修正を行うことができる。時刻修正モードへの切替えを行えば、ＳＴ３において計時制御手段４１が秒針５４を０秒位置に運針させ、ＳＴ５において計時制御手段４１が分針５３を直後の正分位置に移動させるので、指針によって表示される時刻が、実際の時刻よりも一分未満だけ進んだ状態になる。この状態で、現在時刻が指針によって表示される時刻（正分）と一致するまで待ち、電話、テレビ、ラジオ等から得られる正分のタイミングに合わせて竜頭６１を押し込んで時刻表示モードに切り替えれば（ＳＴ１０）、指針によって表示される時刻を実際の時刻と一致させることができる。
【００６６】
次に、指針によって表示される時刻の実際の時刻に対する遅れが一分以上である場合は、竜頭６１を引き出して時刻修正モードに切り替えた後、プッシュボタン６２を適当な回数押すことにより、迅速に時刻修正を行える。
まず、時刻修正モードに切り替えると、計時制御手段４１が、秒針５４を０秒位置に（ＳＴ３）、分針５３を直後の正分位置に（ＳＴ５）運針させる。続いて、プッシュボタン６２を適当な回数押すと、計時制御手段４１が、分針５３を一分単位で運針させ（ＳＴ９）、指針によって表示される時刻が、実際の時刻よりも一分未満だけ進んだ状態になる。この状態で、現在時刻が指針によって表示される時刻（正分）と一致するまで待ち、電話、テレビ、ラジオ等から得られる正分のタイミングに合わせて竜頭６１を押し込んで時刻表示モードに切り替えれば（ＳＴ１０）、指針によって表示される時刻を実際の時刻と一致させることができる。
【００６７】
＜自動時刻修正と、時刻修正モードにおける時刻修正とが競合する場合＞
次に、時刻情報を含んだ無線情報の受信に基づく自動時刻修正と、時刻修正モードにおける時刻修正とが競合する場合について説明する。
竜頭６１が引き出されて時刻修正モードになっている間に、時刻情報を含んだ無線情報の自動受信時刻になってしまったときは、当該無線情報に基づく自動時刻修正が行われず、竜頭６１およびプッシュボタン６２による時刻修正が優先的に行われるようになっている。この場合、自動受信時刻後に竜頭６１を押し込んで時刻表示モードに戻しても、次の自動受信時刻になるまで自動時刻修正は行われない。
なお、この際、自動受信時刻後に竜頭６１を押し込んで時刻表示モードに戻したと同時に、自動時刻修正が行われるようにしてもよい。また、竜頭６１が引き出されて時刻修正モードになっている間、無線情報の自動受信時刻になった場合には、当該無線情報に基づく自動時刻修正を優先的に行うようにしてもよい。
【００６８】
逆に、時刻情報を含んだ無線情報の自動受信に基づく自動時刻修正が行われている間に竜頭６１が引き出されて時刻修正モードに切り替えられると、自動時刻修正が中止され、時刻修正モードにおける時刻修正が優先的に行われるようになっている。この後、竜頭６１を押し込んで時刻表示モードに戻しても、中止された自動時刻修正は行われず、次の自動受信時刻になるまで自動時刻修正は行われない。
なお、この際、竜頭６１を押し込んで時刻表示モードに戻したと同時に、自動時刻修正が行われるようにしてもよい。また、自動時刻修正が行われている間に竜頭６１が引き出されて時刻修正モードに切り替えられても、自動時刻修正が継続して優先的に行われ、この自動時刻修正が行われている間は竜頭６１およびプッシュボタン６２による時刻修正が行われないようにしてもよい。
【００６９】
＜実施形態の効果＞  本実施形態によれば、以下の効果を奏することができる。
本実施形態では、時刻修正モードに切り替えて正時以外のタイミングで時刻修正を行う場合には、分針５３を直後の正分位置へ運針することとし、従来のように、わざわざ分針を０分位置に帰零させるという無駄な動作を行っていないから、時刻修正を小さな消費電力で迅速に行うことができる。
【００７０】
また、本実施形態によれば、電波修正時計１の遅れが一分未満であれば、竜頭６１によるモード切替え操作を行うだけで、別の操作を追加的に行うことなく、時刻を簡単に修正することができる。
【００７１】
また、本実施形態では、時刻修正モードにおいて、分針５３を一旦正分位置に移動させ、この正分位置を始点として、プッシュボタン６２の押し操作に基づいて分針５３を一分単位で運針させることができるので、時刻修正モードにおいて分針５３は常に正分位置に有る。そのため、電話、テレビ、ラジオ等の時刻情報から得られる正分のタイミングに合わせて容易かつ正確に時刻修正を行うことができる。
【００７２】
また、本実施形態では、電波修正時計１の遅れが一分以上ある場合であっても、時刻修正モードにおいて、プッシュボタン６２を適当な回数押すことにより、分針５３を所望の正分位置まで迅速に移動させることができる。したがって、本実施形態によれば、迅速に時刻を修正できる。
【００７３】
また、本実施形態では、電波修正時計１のモードを時刻修正モードに切り替えた上で指針を駆動して全ての指針を零位置（０時０分０秒）に移動させれば、そのときの日車の回転の有無を確認することにより、指針の表示時刻における午前／午後を判別できる。すなわち、日車が回転されれば、そのとき指針が午前０時０分０秒を表示していることがわかり、また、日車が回転されなければ、そのとき指針が午後０時０分０秒を表示していることがわかる。したがって、本実施形態によれば、午前／午後を含めた時刻合わせを適切に行うことができる。また、時刻が午前であるか午後であるかを表示する表示器を文字板上に設ける必要がないから、構造が簡素な電波修正時計１を提供できる。
【００７４】
また、本実施形態では、針位置記憶手段４２のカウンタの数値によって秒針５４および分針５３の現在位置を知ることができ、この数値に基づいて時刻の修正を適切に行えるので、秒針５４および分針５３の位置を検出するための針位置センサなどを設ける必要がなく、電波修正時計１を小型化、薄型化できる。
【００７５】
また、本実施形態では、標準電波の受信に基づく自動時刻修正を行うために一般の電波修正時計に設けられている針位置記憶手段のカウンタを、時刻修正モードにおける時刻修正の際にも利用している。そのため、部品を共用化でき、部品点数の増加を抑え、電波修正時計１の構造の複雑化を防止できる。
【００７６】
本実施形態の電波修正時計１は、標準電波等の無線情報に基づく自動時刻修正機能と、時刻修正モードにおけるモータ駆動による時刻修正機能との二つの時刻修正機能を備えている。前述した通り、電波修正時計では、竜頭の操作により指針のみを手動で移動させる時刻修正機能を付加することは困難であり、標準電波受信による自動時刻修正のほかは、モータ駆動による時刻修正に頼らざるを得ないが、本実施形態によれば、前述したとおり、時刻修正モードにおけるモータ駆動による時刻修正を迅速に行うことができるので、竜頭による手動時刻修正機能を付加できないことに由来する不利益を小さくできる。
【００７７】
＜変形例＞
本発明は、以上で説明した実施形態によって限定されるものではなく、この実施形態を、本発明の目的を達成できる範囲内において変形したものであれば、本発明の技術的範囲に含まれる。
【００７８】
例えば、前記実施形態では、時刻修正モードにおけるＳＴ３において、秒針５４を運針方向に早送りして０秒位置に移動させていたが、本発明では、秒針５４を反運針方向に動かして０秒位置に移動させてもよい。また、時刻修正モードへの切替えの際の秒針５４の位置に応じて、移動方向（運針方向／反運針方向）がその都度選択されてもよい。例えば、時刻修正モードへの切替えの際、秒針５４が０〜３０秒位置にある場合には反運針方向に秒針５４を移動させ、秒針５４が３０〜６０秒位置にある場合には運針方向に秒針５４を移動させることにすれば、最短距離で秒針５４を０秒位置まで移動させることができ、時刻修正を小さな電力消費で迅速に行うことができる。
【００７９】
また、前記実施形態では、ＳＴ５において、分針５３を直後の正分位置に移動（運針方向）させていたが、本発明では、分針５３を直前の正分位置に移動（反運針方向）させてもよい。同様に、前記実施形態では、ＳＴ９において、分針５３を次の正分位置に移動（運針方向）に移動させていたが、本発明では、分針５３を前の正分位置に移動（反運針方向）させてもよい。このように分針５３を反運針方向に動かせば、指針によって表示される時刻が実際の時刻よりも進んでいた場合であっても、適切に時刻修正を行える。なお、時刻修正モードにおいて分針５３を反運針方向に動かすことによって、表示時刻が午前０時０分０秒になり、さらに、分針５３の反運針方向への移動が継続されて午後２３時５９分０秒となったときは、日車を一日分戻すことにより、窓５５内に表示される日を適切に変更できる。
【００８０】
また、時刻修正の際に、分針５３を運針方向に動かすか反運針方向に動かすかを利用者が選択できるようにしてもよい。また、ＳＴ５においては、直後および直前の正分位置のうち、現在の分針５３の位置から見て近いほうの正分位置が自動的に選択されて、分針５３が移動されてもよい。同様に、時刻修正モードにおいて指針による表示時刻が午前０時０分になったときの日車の回転方向が、利用者によって選択されるようにしてもよいし、その都度自動的に選択されるようにしてもよい。
【００８１】
また、前記実施形態のＳＴ５では分針５３を直後の正分位置に移動させていたが、本発明では、分針５３の現在位置から見て１分以上２分未満だけ後または前の時間範囲内にある正分位置や、分針５３の現在位置から見て２分以上３分未満だけ後または前の時間範囲内にある正分位置に分針５３を移動させてもよい。これによれば、指針による表示時刻と現在時刻との差が大きい場合であっても、分針を迅速に所望分位置に移動させて、時刻修正を迅速に行うことができる。また、指針による表示時刻と現在時刻との差が小さい場合でも、指針を現在時刻よりも１分以上２分未満だけ後、または、現在時刻よりも２分以上３分未満だけ後の正分位置に移動させることができるので、電話、テレビ、ラジオ等から得られる正分のタイミングに合わせて時刻表示モードに切り替えるまでの時間を多く確保でき、余裕を持って時刻修正を行うことができる。
【００８２】
また、前記実施形態では、時刻表示モードにおける通常運針時において、分針５３が５秒に１回駆動され、各正分位置間を１２ステップで運針されていたが、本発明では、各正分位置間の運針ステップ数は適宜自由に設定することができる。
【００８３】
また、前記実施形態では、本発明のカレンダ情報表示手段として日車を設けていたが、日車に限られず、運針により日を表示する日針や、７日周期で１回転されて曜日を表示する曜車や、月や年を表示するものを設けてもよい。
【００８４】
また、前記実施形態では、時刻修正モードにおいて全ての指針を０位置に移動させたときの日車の回転の有無で表示時刻の午前／午後を判別できたが、本発明では、日車のようなカレンダ情報表示手段は必ずしも設ける必要はなく、また、時刻の午前／午後を表示するための適当な表示器を文字板上に設けてもよい。
【００８５】
また、前記実施形態では、時刻修正モードのＳＴ９において、プッシュボタン６２を押した回数に応じて分針５３が一分単位で順次運針されていたが、本発明では、プッシュボタンを継続して押した時間に応じて分針５３が一分単位で順次運針されてもよい。例えば、プッシュボタン６２を継続して押した時間が２秒を超えると分針５３が一分運針され、以降プッシュボタン６２が押された状態で１秒経過するごとに分針５３が一分ずつ早送り運針されるようにしてもよい。
【００８６】
また、前記実施形態では、時分モータＭ１によって、分針５３および時針５２を駆動していたが、本発明では、分針５３を駆動する分モータと、時針５２を駆動する時モータとを別個に設けてもよい。このときのモータの駆動方法は前記実施形態と同様で、計時制御手段４１のカウンタの数値と針位置記憶手段４２のカウンタの数値との差に基づくパルス信号が各モータに入力されて駆動される。つまり、分カウンタに数値差がある場合には分モータにパルス信号が入力されて駆動され、また、時カウンタに数値差がある場合には時モータにパルス信号が入力されて駆動される。
【００８７】
また、前記実施形態では、針位置記憶手段４２のカウンタに各指針および日車の位置を記憶し、これに基づいて各指針および日車の運針、修正等を行っていたが、本発明では、各指針および日車の位置を直接物理的に検出する針位置・日車位置センサを設けて各指針および日車の位置の情報を取得してもよい。
針位置・日車位置センサは、例えば、各指針が取り付けられる各歯車・日車を間に挟んで発光素子および受光素子を対向して設け、各歯車・日車に発光素子からの光を受光素子に向けて通すための小孔を設けることにより構成できる。例えば、各指針・日車が０位置にある場合のみに発光素子からの光が小孔を通過されて受光素子に到達できるように構成すれば、受光素子が受光したときには各指針・日車が０位置にあることがわかる。
また、各歯車・日車に磁気パターンを形成し、これをホール素子等により検出することで、各指針・日車の位置情報を取得してもよい。
【００８８】
また、前記実施形態では、本発明の秒針および分針駆動手段としてステッピングモータＭ０およびＭ１を利用していたが、本発明では、秒針および分針駆動手段として圧電モータを利用してもよい。
【００８９】
また、前記実施形態では、制御部４をマイコンによって構成し、このマイコンに所定の時刻修正プログラムを読み込ませることによって、各手段・回路４１〜４９を構成していたが、本発明では、各手段・回路４１〜４９を備える制御部４をハードウェアによって構成し、これに時刻修正を行わせてもよい。
【００９０】
また、本発明の電子時計は、時刻情報を受信する受信部を有する電波修正時計に限らず、モータの駆動によって指針を移動させて時刻修正を行う電子時計であればよい。
【図面の簡単な説明】
【００９１】
【図１】本発明の電子時計としての電波修正時計の構成を示すブロック図である。
【図２】電波修正時計の時刻修正モードにおける時刻修正の手順を示すフローチャートである。
【符号の説明】
【００９２】
１…電波修正時計，２…受信部，３…クロック信号発振部，４…制御部，５…時刻表示手段，６…外部操作手段，２１…アンテナ，２２…受信回路，２３…デコード回路，３１…水晶発振回路，３２…分周回路，４１…計時制御手段，４２…針位置記憶手段，４３…受信時刻記憶手段，４４…秒モータ制御回路，４５…時分モータ制御回路，４６…カレンダモータ制御回路，４７…時刻修正モード検出手段，４８…スイッチ検出手段，４９…時刻カウンタ修正手段，５１…文字板，５２…時針，５３…分針，５４…秒針，５５…窓，６１…竜頭，６２…プッシュボタン，Ｍ０…秒モータ，Ｍ１…時分モータ，Ｍ２…カレンダモータ，Ｓ１…スイッチ，Ｓ２…スイッチ。
【図１】
2006145471.tif 000003
【図２】
2006145471.tif 000004